(57)【特許請求の範囲】
【請求項１】
内部に袋状に縫製した表皮をセットすると共に、その表皮に注入ノズルの下端を挿入して装着する金型と、
この金型に上下方向に揺動可能に軸着する開閉片と、この開閉片の一端側に前記注入ノズルの上端開放口を開閉する蓋体と、この蓋体を前記注入ノズルの上端開放口方向に付勢する構成からなる閉蓋機構と、
前記注入ノズルの上方に昇降可能に取付けて前記表皮内に注入するパッド成形用の発泡液を注入ノズルを介して表皮内に注入する射出成形機の注入ガン付の射出部と、
この注入ガン側に取付けて下降時に前記開閉片を押圧して蓋体を注入ノズルより離脱させる上下動杆からなる開蓋機構と
から構成するヘッドレストの製造装置。
【請求項２】
前記注入ガンの注入口方向に向けてスライドし、内部に注入ガンの排出口に付着した発泡液洗浄用の洗浄ブラシを回動可能に軸着し上部開放状の洗浄タンクからなる洗浄機構を有する前記請求項１記載のヘッドレストの製造装置。
【請求項３】
前記洗浄タンクの注入ガン側の側壁は前記洗浄ブラシ方向に傾斜する上下二段の傾斜状に形成し、前記上下動杆は下部を折畳可能に連結し、その下部の前記上下にローラを設けてなる前記請求項２記載のヘッドレストの製造装置。
【発明の詳細な説明】
【技術分野】
【０００１】
本発明は、ヘッドレストの製造装置、詳しくは袋状に縫製した表皮を金型内にセットし、その表皮内にパッド発泡成形用の発泡液を注入して表皮にパッドを一体発泡して成形するヘッドレストの製造装置に関する。
【背景技術】
【０００２】
従来、この種のヘッドレストは、金型にセットした表皮内に注入ノズルを挿入し、この注入ノズルを介して前記発泡液を注入してパッドを表皮、ステーと一体発泡成形している。この発泡成形時に、該発泡液が表皮内で発泡して注入ノズル内から外部に発泡液が発泡して噴出する。
【０００３】
斯かる発泡液の外部への噴出を防止するために、発泡が完了し硬化するまで注入ノズルの注入口を閉口するため押さえ続けている(例えば、特許第３６５０８６０号公報)。
【０００４】
【特許文献１】特許第３６５０８６０号公報
【発明の開示】
【発明が解決しようとする課題】
【０００５】
従って、従来品は発泡液を注入した後、発泡して硬化するまでの一定時間、表皮内に挿入した注入ノズルの注入口を押さえ続けなければならない。
【０００６】
即ち、発泡液が硬化するまで他のヘッドレストを製造するために、射出成形機による注入ガンを注入ノズルへ接合する必要がある。  
【０００７】
従って、多数の金型を使用して連続的にヘッドレストを発泡成形する際、前記発泡液の硬化時間が必要となるため、作業性が悪い不具合があった。
【０００８】
そこで、本発明は斯様な従来品による不具合を除去することを目的とする。
【課題を解決するための手段】
【０００９】
以上の目的を達成するための本発明に係るヘッドレストの製造装置は、内部に袋状に縫製した表皮をセットすると共に、その表皮に注入ノズルの下端を挿入して装着する金型と、この金型に上下方向に揺動可能に軸着する開閉片と、この開閉片の一端側に前記注入ノズルの上端開放口を開閉する蓋体と、この蓋体を前記注入ノズルの上端開放口方向に付勢する構成からなる閉蓋機構と、前記注入ノズルの上方に昇降可能に取付けて前記表皮内に注入するパッド成形用の発泡液を注入ノズルを介して表皮内に注入する射出成形機の注入ガン付の射出部と、この注入ガン側に取付けて下降時に前記開閉片を押圧して蓋体を注入ノズルより離脱させる上下動杆からなる開蓋機構とから構成することを特徴とする構成である。
【００１０】
そして、前記注入ガンの注入口方向に向けてスライドし、内部に注入ガンの排出口に付着した発泡液洗浄用の洗浄ブラシを回動可能に軸着し上部開放状の洗浄タンクからなる洗浄機構を有するようにするのが好ましい。
【００１１】
また、前記洗浄タンクの注入ガン側の側壁は前記洗浄ブラシ方向に傾斜する上下二段の傾斜状に形成し、前記上下動杆は下部を折畳可能に連結し、その下部の前記上下にローラを設けるようにする。
【発明の効果】
【００１２】
本発明によれば、注入ガンを介して注入ノズルより袋状の表皮内に発泡液を注入後、注入ガンを上昇させて注入ノズルの注入口より離脱させると、注入ノズルの注入口が蓋体で閉口される。そのため、発泡液が発泡時に注入ノズルの注入口より外部に噴出することがない。
【００１３】
従って、表皮内に発泡液を注入後、発泡液が発泡し硬化するまで、注入ガンで注入ノズルの注入口を押さえ続ける必要がないため、ヘッドレストの製造時間を短縮しえる。加えて、注入ノズルを蓋体で開閉する構造であるため、注入ノズルの開閉タイミングが一定化し安定する。更に、機械的に蓋体による注入ノズルの開閉を行うため構造が簡単で故障が少なくなる。
【００１４】
また、注入ガンの排出口に付着した発泡液が洗浄ブラシで洗浄されるため、次に、表皮内に発泡液を注入してヘッドレストを製造する際に、その表皮内に挿入した注入ノズルに発泡液を注入できる。
そのため、更に、ヘッドレストの製造時間を短縮できる。
【００１５】
更に、洗浄機構における洗浄タンクの注入ガン側の側壁が上下二段の傾斜状に形成し、上下動杆の下部を折畳可能且つ上下二段状にローラを設けているため、洗浄タンクが的確且つスムーズに移動可能となり、注入ガンの排出口が洗浄ブラシで的確に洗浄される。
【発明を解決するための最良の形態】
【００１６】
以下、本発明の一実施例を図面に基づいて説明する。
本発明は図４に示すように、袋状に縫製した通気性を有する表皮Ａ内に、パッド成形用の発泡液を注入してパッドＢを一体に成形するヘッドレストの製造装置であって、表皮Ａ内には金属製のステーＳ、Ｓがあらかじめ装着されている。
【００１７】
そして、この表皮Ａは図１に示すように、割り型１０Ａ、１０Ｂからなる金型１にセットし、その表皮内Ａ内には樹脂製の筒状注入ノズルＣを挿入し、この注入ノズルＣを介して射出成形機の注入ガン３より前記発泡液が注入される。
【００１８】
なお、発泡液が発泡し硬化した後、図４に示す状態から注入ノズルＣは矢印方向にヘッドレストより抜き取られ、内部に硬化した発泡液を除去後、再利用される。
【００１９】
以上の金型１の割り型１０Ａ、１０Ｂにおける合わせ個所には注入ノズルＣの保持部１０Ｃ、１０Ｃを一体に設けて、金型１のキャピティ内にセットした袋状の表皮Ａに下部を挿入した注入ノズルＣを保持するようにしている。
【００２０】
この金型１にはアーム１０Ｄが固設され、このアーム１０Ｄに閉蓋機構２が設けてあり、閉蓋機構２は開閉片２０、蓋体２１、２２などより構成されている。開閉片２０はピン２Ａによって上下方向に揺動可能に軸着され、この開閉片２０の一端下面側に、前記注入ノズルＣの注入口を開閉する蓋体２１、２２が固定され、この蓋体２１、２２が注入ノズルＣの注入口を閉蓋するように、前記開閉片２０はバネ(不図示)によって付勢されている。
【００２１】
なお蓋体の一部２２は注入ノズルＣの注入口内に嵌合するように、この一部２２に一体に設けた蓋体の他部２１は注入口より大径に形成して、発泡液の発泡時における注入ノズルＣの注入口からの噴出を完全に防止している。
【００２２】
前記開閉片２０の他端上面には押圧片２３が一体に固定され、この押圧片２３を前記バネの弾力に抗して開蓋機構４を構成する上下動杆４０Ａ、４０Ｂによって下方に押し下げると、前記蓋体２１、２２が上方に移動して注入ノズルＣの注入口より離脱する。
【００２３】
押圧片２３は上下動杆４の下降によって押圧されて下方に押し下げられ、上下動杆４は射出成形機Ｅの射出部３側に昇降可能に取付けられ、射出部３に取付ける支杆４３に一体の上部杆４０Ｂと、この上部杆４０Ｂにピンにより折り畳み自在に連結する下部杆４０Ａとから構成され、下部杆４０Ａには上下二段状にローラ４１、４２が設けてある。
【００２４】
以上の金型１は、図３に示すように多数個配設され、ローラ６１…付の回転盤６上に搭載されている。そして、各々の金型１…はスライド８により回転盤６上を回転中心方向などにスライドできるようになっている。
【００２５】
そして、回転盤６上の中央の上方に、前記射出成形機Ｅの射出部３が固設されており、この射出部３は床Ｇに固定した門形状の支柱７の水平部中央に取付けられている。
この射出部３に、前記注入ノズルＣに発泡液を注入する注入ガン３０が上下方向に移動可能に装着されている。
【００２６】
従って、前記注入ノズルＣが注入ガン３０の下方に位置するように、前記金型１は移動可能に回転盤６に搭載され、金型１に表皮Ａをセットする際、或いは、表皮Ａ内にパッドＢを発泡成形した後は、各金型１…を回転盤６の回転中心より離れた周縁部に移動して、表皮Ａが金型１にセットし易いように、或いは、一体発泡した表皮ＡにパッドＢを金型１より取り出せ易いにしている。
【００２７】
以上の支柱７の水平部には内部に洗浄ブラシ５１と洗浄タンク５０とからなる洗浄装置５が、注入ガン３０方向にスライド可能に装着されている。
【００２８】
そして、注入ガン３０は下降することにより、その排出口が図２に示すように注入ノズルＣの注入口内に嵌合するように形成され、注入ガン３０より注入ノズルＣに発泡液が注入されるように構成されている。この注入ガン３０は前記上下動杆４と別個に上下動するように構成されている。
【００２９】
以上の洗浄タンク５０は上部に開放口を有する箱体で、その開放口より洗浄ブラシ５１の一部が露出するように配設され、洗浄ブラシ５１はモータの駆動力によって図１矢印方向に回転し、注入ガン３０の排出口に付着した発泡液Ｂ１を除去するように形成されている。
【００３０】
そして、洗浄タンク５０はその注入ガン３０方向の側壁５２、５３が図１に示すように、上下二段状の傾斜面に形成して、洗浄タンク５０を図１矢印方向にスライドした際、上下動杆４にスムーズに、また、上下動杆４には二個のローラ４１、４２が上下に設けてあるため、傾斜状の側壁５２、５３が無理なく移動でき、注入ガン３０の排出口が図１鎖線に示すように洗浄ブラシ５１に当接されるように構成されている。
【００３１】
なお、以上の洗浄タンク５０を注入ガン３０方向にスライドさせた際は上部杆４０Ｂに対して下部杆４０Ａは折曲し、下端のローラ４１が洗浄タンク５０の上面に当接する。
【００３２】
次に、本発明装置の動作を説明する。
まず、回転盤６の周縁部において、金型１内にステーＳ、Ｓを挿着した表皮Ａをセットし、その表皮Ａに設けた通孔に注入ノズルＣの下部を挿入し、割り型１０Ａ、１０Ｂからなる金型１を合わせる。
【００３３】
次に、回転盤６を回転させると共に、この注入ノズルＣ付の表皮Ａをセットした金型１を射出部３下方に位置するように移動させる。
この状態において、注入ノズルＣの上部に位置する注入口は、蓋体２１、２２によって閉口されている。
【００３４】
然る後、上下動杆４を下降させて、押圧片２３を押し下げると開閉片２が揺動し、蓋体２１、２２が持ち上がり、注入ノズルＣの注入口より離脱し、注入口は開口する。
【００３５】
それとほぼ同時に注入ガン３０が下降して、注入ノズルＣの注入口に注入ガン３０の排出口が嵌合する。
【００３６】
すると、図２に示すように、射出成形型Ｅより発泡液Ｂ´が射出部３の注入ガン３０、注入ノズルＣを介して金型１内の表皮Ａ内に注入される。
【００３７】
この発泡液Ｂ１を適量注入した後、上下動杆４及び注入ガン３０を図２矢印方向に上昇させると、注入ガン３０が注入ノズルＣより離脱し、上下動杆４の押圧片２３の押圧状態を解除する。すると、開閉片２はバネの弾力により、蓋体２１、２２が下方に回動して注入ノズルＣの注入口を閉蓋する(第１図)。
【００３８】
これは、表皮Ａ内に注入した発泡液Ｂ１が発泡し注入ノズルＣより外部に噴出する前に行われる。
【００３９】
従って、注入ノズルＣの注入口を蓋体２１、２２で閉口した状態で発泡Ｂ１が発泡硬化する。
【００４０】
発泡液Ｂ１を注入後、注入ノズルＣの注入口を蓋体２１、２２で閉口した後、その金型１を回転盤６の中央より周縁部に移動させて、発泡液Ｂ１を硬化させる。硬化してパッドＢを成形することによりヘッドレストが製造される。そして、割り型１０Ａ、１０Ｂからなる金型１を開放して図４に示すヘッドレストを取り出す。然る後、ヘッドレストより注入ノズルＣを抜き取り、その注入ノズルＣの内部に硬化した発泡液を除去して注入ノズルＣを再利用する。
【００４１】
そして、前記上下動杆４、注入ガン３０を上昇させた後、洗浄装置５が図１矢印方向である注入ガン３０方向に移動して、洗浄ブラシ５１で注入ガン３０の排出口に付着した発泡液Ｂ’を除去することにより注入ガン３０の排出口を洗浄する。
【００４２】
前記洗浄機構５の洗浄ブラシ５１が注入ガン３０の排出口に移動する際、上下動杆４に洗浄タンク５０の側壁５２、５３が当接して、上下動杆４の下部杆４０Ａが垂直状に固定されている上部杆４０Ｂに対して折曲し、ローラ４１、４２のいずれか一方が側壁５２、５３に当接し、下部杆４０Ａ自体が側壁５２、５３に直接接触することがないため、洗浄機構５の注入ガン３０方向への移動を円滑に行うことができる。
【００４３】
そして、注入ガン３０の下端に有する排出口を洗浄ブラシ５１で洗浄後は、洗浄機構５が元の位置に移動する。
【００４４】
以下、これを繰り返してヘッドレストを製造する。
【産業上の利用可能性】
【００４５】
以上ヘッドレストの製造装置について説明したが、アームレストなどにも本発明に係る装置は利用できる。
【図面の簡単な説明】
【００４６】
【図１】本発明装置の要部の部分切欠平面図である。
【図２】発泡液の注入状態を説明する要部の部分切欠平面図である。
【図３】本発明装置を説明する説明図である。
【図４】本発明装置によって製造したヘッドレストの部分切欠図である。
【符号の説明】
【００４７】
１…金型、２…閉蓋機構、３…射出部、４…開蓋機構、５…洗浄機構、Ａ…表皮、Ｂ…パッド、Ｃ…注入ノズル。
【図１】
0004838220.tif 000002
【図２】
0004838220.tif 000003
【図３】
0004838220.tif 000004
【図４】
0004838220.tif 000005